【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
基部と、
平面視で、前記基部から延出されている拡幅部、及び前記拡幅部から延出されている腕部を有する振動腕と、
を含み、
前記拡幅部は、前記腕部との結合部から前記基部との結合部に向うに従って、前記延出方向と交差する方向に沿った幅が広くなっており、
前記振動腕の前記延出方向に沿った長さをＬ、
前記腕部の前記交差する方向に沿った幅をＷ、
前記拡幅部の前記延出方向に沿った長さをＬｔ、
前記拡幅部の外縁と前記腕部の外縁とが接合している第１の結合部と、前記拡幅部の前記外縁と前記基部とが接合している第２の結合部と、の間の前記交差する方向に沿った幅であるテーパー部の幅をＷｔ、
前記振動腕の前記長さＬに対する前記拡幅部の長さＬｔの長さ占有率をη＝Ｌｔ／Ｌ、
前記振動腕の前記幅Ｗに対する前記テーパー部の幅Ｗｔの幅占有率をξ＝２Ｗｔ／Ｗとしたとき、
０．０１６８≦η≦０．１６８０
2011223230.tif 000001
を満たしていることを特徴とする振動片。
【請求項２】
基部と、
平面視で、前記基部から延出されている拡幅部、及び前記拡幅部から延出されている腕部を有する振動腕と、
を含み、
前記拡幅部は、前記腕部との結合部から前記基部との結合部に向うに従って、前記延出方向と交差する方向に沿った幅が広くなっており、
前記振動腕の前記延出方向に沿った長さをＬ、
前記腕部の前記交差する方向に沿った幅をＷ、
前記拡幅部の前記延出方向に沿った長さをＬｔ、
前記拡幅部の外縁と前記腕部の外縁とが接合している第１の結合部と、前記拡幅部の前記外縁と前記基部とが接合している第２の結合部と、の間の前記交差する方向に沿った幅であるテーパー部の幅をＷｔ、
前記振動腕の前記長さＬに対する前記拡幅部の長さＬｔの長さ占有率をη＝Ｌｔ／Ｌ、
前記振動腕の前記幅Ｗに対する前記テーパー部の幅Ｗｔの幅占有率をξ＝２Ｗｔ／Ｗとしたとき、
０．０１６８≦η≦０．１６８０
2011223230.tif 000002
を満たしていることを特徴とする振動片。
【請求項３】
基部と、
平面視で、前記基部から延出されている拡幅部、及び前記拡幅部から延出されている腕部を有する振動腕と、
を含み、
前記拡幅部は、前記腕部との結合部から前記基部との結合部に向うに従って、前記延出方向と交差する方向に沿った幅が広くなっており、
前記振動腕の前記延出方向に沿った長さをＬ、
前記腕部の前記交差する方向に沿った幅をＷ、
前記拡幅部の前記延出方向に沿った長さをＬｔ、
前記拡幅部の外縁と前記腕部の外縁とが接合している第１の結合部と、前記拡幅部の前記外縁と前記基部とが接合している第２の結合部と、の間の前記交差する方向に沿った幅であるテーパー部の幅をＷｔ、
前記振動腕の前記長さＬに対する前記拡幅部の長さＬｔの長さ占有率をη＝Ｌｔ／Ｌ、
前記振動腕の前記幅Ｗに対する前記テーパー部の幅Ｗｔの幅占有率をξ＝２Ｗｔ／Ｗとしたとき、
０．０５０４≦η≦０．１２６０
2011223230.tif 000003
を満たしていることを特徴とする振動片。
【請求項４】
請求項１乃至３のいずれか一項において、
平面視で、前記拡幅部の前記外縁が、前記第１の結合部と前記第２の結合部とを結ぶ直線または曲線であることを特徴とする振動片。
【請求項５】
請求項４において、
平面視で、前記拡幅部の前記外縁が複数の直線により構成され、
前記複数の直線のうち互いに連結している直線同士の交差角度は、
前記振動腕の前記延出方向と、前記第１の結合部と前記第２の結合とを結ぶ直線との交差角度よりも小さいことを特徴とする振動片。
【請求項６】
請求項４において、
平面視で、前記拡幅部の前記外縁が、前記第１の結合部と前記第２の結合とを結ぶ曲線により構成され、
前記第１の結合部における前記曲線の接線と前記振動腕の前記延出方向との交差角度は、
前記振動腕の前記延出方向と、前記第１の結合部と前記第２の結合とを結ぶ直線との交差角度よりも小さいことを特徴とする振動片。
【請求項７】
請求項１乃至６のいずれか一項に記載の振動片と、
前記振動片が収容されているパッケージと、
を備えていることを特徴とする振動子。
【手続補正２】
【補正対象書類名】明細書
【補正対象項目名】０００６
【補正方法】変更
【補正の内容】
【０００６】
本発明は、上述の課題の少なくとも一部を解決するためになされたものであり、以下の形態または適用例として実現することが可能である。
本発明のある形態に係る振動片は、基部と、平面視で、前記基部から延出されている拡幅部、及び前記拡幅部から延出されている腕部を有する振動腕と、を含み、前記拡幅部は、前記腕部との結合部から前記基部との結合部に向うに従って、前記延出方向と交差する方向に沿った幅が広くなっており、前記振動腕の前記延出方向に沿った長さをＬ、前記腕部の前記交差する方向に沿った幅をＷ、前記拡幅部の前記延出方向に沿った長さをＬｔ、前記拡幅部の外縁と前記腕部の外縁とが接合している第１の結合部と、前記拡幅部の前記外縁と前記基部とが接合している第２の結合部と、の間の前記交差する方向に沿った幅であるテーパー部の幅をＷｔ、前記振動腕の前記長さＬに対する前記拡幅部の長さＬｔの長さ占有率をη＝Ｌｔ／Ｌ、前記振動腕の前記幅Ｗに対する前記テーパー部の幅Ｗｔの幅占有率をξ＝２Ｗｔ／Ｗとしたとき、
０．０１６８≦η≦０．１６８０
2011223230.tif 000004
を満たしていることを特徴とする。
本発明のある別の形態に係る振動片は、基部と、平面視で、前記基部から延出されている拡幅部、及び前記拡幅部から延出されている腕部を有する振動腕と、を含み、前記拡幅部は、前記腕部との結合部から前記基部との結合部に向うに従って、前記延出方向と交差する方向に沿った幅が広くなっており、前記振動腕の前記延出方向に沿った長さをＬ、前記腕部の前記交差する方向に沿った幅をＷ、前記拡幅部の前記延出方向に沿った長さをＬｔ、前記拡幅部の外縁と前記腕部の外縁とが接合している第１の結合部と、前記拡幅部の前記外縁と前記基部とが接合している第２の結合部と、の間の前記交差する方向に沿った幅であるテーパー部の幅をＷｔ、前記振動腕の前記長さＬに対する前記拡幅部の長さＬｔの長さ占有率をη＝Ｌｔ／Ｌ、前記振動腕の前記幅Ｗに対する前記テーパー部の幅Ｗｔの幅占有率をξ＝２Ｗｔ／Ｗとしたとき、
０．０１６８≦η≦０．１６８０
2011223230.tif 000005
を満たしていることを特徴とする。
本発明のある別の形態に係る振動片は、基部と、平面視で、前記基部から延出されている拡幅部、及び前記拡幅部から延出されている腕部を有する振動腕と、を含み、前記拡幅部は、前記腕部との結合部から前記基部との結合部に向うに従って、前記延出方向と交差する方向に沿った幅が広くなっており、前記振動腕の前記延出方向に沿った長さをＬ、前記腕部の前記交差する方向に沿った幅をＷ、前記拡幅部の前記延出方向に沿った長さをＬｔ、前記拡幅部の外縁と前記腕部の外縁とが接合している第１の結合部と、前記拡幅部の前記外縁と前記基部とが接合している第２の結合部と、の間の前記交差する方向に沿った幅であるテーパー部の幅をＷｔ、前記振動腕の前記長さＬに対する前記拡幅部の長さＬｔの長さ占有率をη＝Ｌｔ／Ｌ、前記振動腕の前記幅Ｗに対する前記テーパー部の幅Ｗｔの幅占有率をξ＝２Ｗｔ／Ｗとしたとき、
０．０５０４≦η≦０．１２６０
2011223230.tif 000006
を満たしていることを特徴とする。
本発明のある別の形態に係る振動片は、平面視で、前記拡幅部の前記外縁が、前記第１の結合部と前記第２の結合部とを結ぶ直線または曲線であることを特徴とする。
本発明のある別の形態に係る振動片は、平面視で、前記拡幅部の前記外縁が複数の直線により構成され、前記複数の直線のうち互いに連結している直線同士の交差角度は、前記振動腕の前記延出方向と、前記第１の結合部と前記第２の結合とを結ぶ直線との交差角度よりも小さいことを特徴とする。
本発明のある別の形態に係る振動片は、平面視で、前記拡幅部の前記外縁が、前記第１の結合部と前記第２の結合とを結ぶ曲線により構成され、前記第１の結合部における前記曲線の接線と前記振動腕の前記延出方向との交差角度は、前記振動腕の前記延出方向と、前記第１の結合部と前記第２の結合とを結ぶ直線との交差角度よりも小さいことを特徴とする。
本発明のある別の形態に係る振動子は、前記振動片と、前記振動片が収容されているパッケージと、を備えていることを特徴とする。
【手続補正３】
【補正対象書類名】図面
【補正対象項目名】図８
【補正方法】変更
【補正の内容】
【図８】
2011223230.tif 000007